【手続補正書】
【提出日】平成15年8月25日(2003.8.25)
【手続補正１】
【補正対象書類名】明細書
【補正対象項目名】特許請求の範囲
【補正方法】変更
【補正の内容】
【特許請求の範囲】
【請求項１】
通行者が提示する記録媒体から改札情報を読取って改札業務を自動的に行なう自動改札装置と、この自動改札装置の状態監視や状態設定などを行なう監視装置とを具備する自動改札システムにおいて、
前記自動改札装置は、
通行者が提示する記録媒体から改札情報を読取る読取手段と、
この読取手段で読取った改札情報に基づき前記通行者の通行可否を決定する通行可否決定手段と、
この通行可否決定手段の結果が通行不可のとき、その異常内容を前記監視装置に対して送信する第１の送信手段と、
前記通行可否決定手段の結果が通行不可のとき、その旨を前記通行者に対して報知するとともに、本自動改札装置を異常状態に設定する制御手段と、
前記異常状態を解除するための第１の異常解除信号を入力する異常解除信号入力手段と、
前記監視装置から送信される第２の異常解除信号を受信する第１の受信手段と、
前記異常解除信号入力手段で第１の異常解除信号が入力されたのに基づき、あるいは、前記第１の受信手段で第２の異常解除信号を受信したのに基づき、前記異常状態を解除する異常解除手段と、
前記監視装置から送信されるモード設定信号を受信し、この受信したモード設定信号により、前記異常解除信号入力手段を、その機能を有効にする第１のモードあるいは無効にする第２のモードに設定するモード設定手段とを具備し、
前記監視装置は、
前記自動改札装置から送信される異常内容を受信し、この受信した異常内容を表示する表示手段と、
前記自動改札装置の異常状態を解除するための前記第２の異常解除信号を前記自動改札装置に対して送信する第２の送信手段と、
前記異常解除信号入力手段を、その機能を有効にする第１のモードあるいは無効にする第２のモードに選択的に設定するためのモード設定信号を前記自動改札装置に対して送信する第３の送信手段とを具備し、
さらに、前記異常解除信号入力手段が第２のモードに設定されているとき、その異常解除信号入力手段を強制的に第１のモードに切換え設定するモード変更手段を具備したことを特徴とする自動改札システム。
【請求項２】
前記モード変更手段は前記自動改札装置に設けられていることを特徴とする請求項１記載の自動改札システム。
【請求項３】
通行者が提示する記録媒体から改札情報を読取って改札業務を自動的に行なう自動改札装置と、この自動改札装置の状態監視や状態設定などを行なう監視装置とを具備する自動改札システムにおいて、
前記自動改札装置は、
通行者が提示する記録媒体から改札情報を読取る読取手段と、
この読取手段で読取った改札情報に基づき前記通行者の通行可否を決定する通行可否決定手段と、
この通行可否決定手段の結果が通行不可のとき、その異常内容を前記監視装置に対して送信する第１の送信手段と、
前記通行可否決定手段の結果が通行不可のとき、その旨を前記通行者に対して報知するとともに、本自動改札装置を異常状態に設定する制御手段と、
前記異常状態を解除するための第１の異常解除信号を入力する異常解除信号入力手段と、
前記監視装置から送信される第２の異常解除信号を受信する第１の受信手段と、
前記異常解除信号入力手段で第１の異常解除信号が入力されたのに基づき、あるいは、前記第１の受信手段で第２の異常解除信号を受信したのに基づき、前記異常状態を解除する異常解除手段と、
前記監視装置から送信されるモード設定信号を受信し、この受信したモード設定信号により、前記異常解除信号入力手段を、その機能を有効にする第１のモードあるいは無効にする第２のモードに設定するモード設定手段とを具備し、
前記監視装置は、
前記自動改札装置から送信される異常内容を受信し、この受信した異常内容を表示する表示手段と、
前記自動改札装置の異常状態を解除するための前記第２の異常解除信号を前記自動改札装置に対して送信する第２の送信手段と、
前記異常解除信号入力手段を、その機能を有効にする第１のモードあるいは無効にする第２のモードに選択的に設定するためのモード設定信号を前記自動改札装置に対して送信する第３の送信手段とを具備し、
さらに、前記異常解除信号入力手段が第２のモードに設定されているとき、その異常解除信号入力手段を強制的に第１のモードに切換え設定するモード変更手段と、
このモード変更手段で前記異常解除信号入力手段が強制的に第１のモードに設定されたのに基づき、その旨を係員に報知する報知手段を具備したことを特徴とする自動改札システム。
【請求項４】
前記報知手段は、前記自動改札装置に設けられていることを特徴とする請求項３記載の自動改札システム。
【請求項５】
前記モード変更手段および報知手段は、前記自動改札装置に設けられていることを特徴とする請求項３記載の自動改札システム。
【請求項６】
前記報知手段は、前記監視装置に設けられていることを特徴とする請求項３記載の自動改札システム。
【請求項７】
前記報知手段は、あらかじめ設定される所定の時間だけ動作することを特徴とする請求項３記載の自動改札システム。
【請求項８】
通行者が提示する記録媒体から改札情報を読取って改札業務を自動的に行なう自動改札装置と、この自動改札装置の状態監視や状態設定などを行なう監視装置とを具備する自動改札システムにおいて、
前記自動改札装置は、
通行者が提示する記録媒体から改札情報を読取る読取手段と、
この読取手段で読取った改札情報に基づき前記通行者の通行可否を決定する通行可否決定手段と、
この通行可否決定手段の結果が通行不可のとき、その異常内容を前記監視装置に対して送信する第１の送信手段と、
前記通行可否決定手段の結果が通行不可のとき、その旨を前記通行者に対して報知するとともに、本自動改札装置を異常状態に設定する第１の制御手段と、
前記異常状態を解除するための第１の異常解除信号を入力する異常解除信号入力手段と、
前記監視装置から送信される第２の異常解除信号を受信する第１の受信手段と、
前記異常解除信号入力手段で第１の異常解除信号が入力されたのに基づき、あるいは、前記第１の受信手段で第２の異常解除信号を受信したのに基づき、前記異常状態を解除する異常解除手段と、
前記監視装置から送信されるモード設定信号を受信し、この受信したモード設定信号により、前記異常解除信号入力手段を、その機能を有効にする第１のモードあるいは無効にする第２のモードに設定するモード設定手段と、
前記異常解除信号入力手段が第２のモードに設定されているとき、その異常解除信号入力手段を強制的に第１のモードに切換え設定するモード変更手段と、
このモード変更手段で前記異常解除信号入力手段が強制的に第１のモードに設定されたのに基づき、モード変更信号を前記監視装置に対して送信する第２の送信手段と、
前記監視装置から送信されるモード復帰信号を受信し、この受信したモード復帰信号により、前記モード変更手段で強制的に第１のモードに設定された前記異常解除信号入力手段を第２のモードに復帰させる第２の制御手段とを具備し、
前記監視装置は、
前記自動改札装置から送信される異常内容を受信し、この受信した異常内容を表示する第１の表示手段と、
前記自動改札装置の異常状態を解除するための前記第２の異常解除信号を前記自動改札装置に対して送信する第３の送信手段と、
前記異常解除信号入力手段を、その機能を有効にする第１のモードあるいは無効にする第２のモードに選択的に設定するためのモード設定信号を前記自動改札装置に対して送信する第４の送信手段と、
前記自動改札装置から送信されるモード変更信号を受信し、この受信したモード変更信号により、前記異常解除信号入力手段が強制的に第１のモードに設定されたことを表示する第２の表示手段と、
前記モード変更手段で強制的に第１のモードに設定された前記異常解除信号入力手段を第２のモードに復帰させるためのモード復帰信号を前記自動改札装置に対して送信する第５の送信手段とを具備したことを特徴とする自動改札システム。
【請求項９】
前記自動改札装置は、前記モード変更手段で前記異常解除信号入力手段が強制的に第１のモードに設定されたのに基づき、その旨を表示する表示手段を更に具備したことを特徴とする請求項８記載の自動改札システム。
【請求項１０】
前記表示手段は、あらかじめ設定される所定の時間だけ動作することを特徴とする請求項９記載の自動改札システム。
【手続補正２】
【補正対象書類名】明細書
【補正対象項目名】０００１
【補正方法】変更
【補正の内容】
【０００１】
【発明の属する技術分野】
本発明は、たとえば、鉄道関係の駅に設置され、通行者が投入する乗車券から改札情報を読取って改札業務を自動的に行なう自動改札装置と、この自動改札装置と電気的に接続され、自動改札装置の状態監視や状態設定などを行なう監視装置とを具備する自動改札システムに関する。


【手続補正３】
【補正対象書類名】明細書
【補正対象項目名】００１４
【補正方法】変更
【補正の内容】
【００１４】
【課題を解決するための手段】
本発明の自動改札システムは、通行者が提示する記録媒体から改札情報を読取って改札業務を自動的に行なう自動改札装置と、この自動改札装置の状態監視や状態設定などを行なう監視装置とを具備する自動改札システムにおいて、前記自動改札装置は、通行者が提示する記録媒体から改札情報を読取る読取手段と、この読取手段で読取った改札情報に基づき前記通行者の通行可否を決定する通行可否決定手段と、この通行可否決定手段の結果が通行不可のとき、その異常内容を前記監視装置に対して送信する第１の送信手段と、前記通行可否決定手段の結果が通行不可のとき、その旨を前記通行者に対して報知するとともに、本自動改札装置を異常状態に設定する制御手段と、前記異常状態を解除するための第１の異常解除信号を入力する異常解除信号入力手段と、前記監視装置から送信される第２の異常解除信号を受信する第１の受信手段と、前記異常解除信号入力手段で第１の異常解除信号が入力されたのに基づき、あるいは、前記第１の受信手段で第２の異常解除信号を受信したのに基づき、前記異常状態を解除する異常解除手段と、前記監視装置から送信されるモード設定信号を受信し、この受信したモード設定信号により、前記異常解除信号入力手段を、その機能を有効にする第１のモードあるいは無効にする第２のモードに設定するモード設定手段とを具備し、前記監視装置は、前記自動改札装置から送信される異常内容を受信し、この受信した異常内容を表示する表示手段と、前記自動改札装置の異常状態を解除するための前記第２の異常解除信号を前記自動改札装置に対して送信する第２の送信手段と、前記異常解除信号入力手段を、その機能を有効にする第１のモードあるいは無効にする第２のモードに選択的に設定するためのモード設定信号を前記自動改札装置に対して送信する第３の送信手段とを具備し、さらに、前記異常解除信号入力手段が第２のモードに設定されているとき、その異常解除信号入力手段を強制的に第１のモードに切換え設定するモード変更手段を具備している。


【手続補正４】
【補正対象書類名】明細書
【補正対象項目名】００１５
【補正方法】変更
【補正の内容】
【００１５】
また、本発明の自動改札システムは、通行者が提示する記録媒体から改札情報を読取って改札業務を自動的に行なう自動改札装置と、この自動改札装置の状態監視や状態設定などを行なう監視装置とを具備する自動改札システムにおいて、前記自動改札装置は、通行者が提示する記録媒体から改札情報を読取る読取手段と、この読取手段で読取った改札情報に基づき前記通行者の通行可否を決定する通行可否決定手段と、この通行可否決定手段の結果が通行不可のとき、その異常内容を前記監視装置に対して送信する第１の送信手段と、前記通行可否決定手段の結果が通行不可のとき、その旨を前記通行者に対して報知するとともに、本自動改札装置を異常状態に設定する制御手段と、前記異常状態を解除するための第１の異常解除信号を入力する異常解除信号入力手段と、前記監視装置から送信される第２の異常解除信号を受信する第１の受信手段と、前記異常解除信号入力手段で第１の異常解除信号が入力されたのに基づき、あるいは、前記第１の受信手段で第２の異常解除信号を受信したのに基づき、前記異常状態を解除する異常解除手段と、前記監視装置から送信されるモード設定信号を受信し、この受信したモード設定信号により、前記異常解除信号入力手段を、その機能を有効にする第１のモードあるいは無効にする第２のモードに設定するモード設定手段とを具備し、前記監視装置は、前記自動改札装置から送信される異常内容を受信し、この受信した異常内容を表示する表示手段と、前記自動改札装置の異常状態を解除するための前記第２の異常解除信号を前記自動改札装置に対して送信する第２の送信手段と、前記異常解除信号入力手段を、その機能を有効にする第１のモードあるいは無効にする第２のモードに選択的に設定するためのモード設定信号を前記自動改札装置に対して送信する第３の送信手段とを具備し、さらに、前記異常解除信号入力手段が第２のモードに設定されているとき、その異常解除信号入力手段を強制的に第１のモードに切換え設定するモード変更手段と、このモード変更手段で前記異常解除信号入力手段が強制的に第１のモードに設定されたのに基づき、その旨を係員に報知する報知手段を具備している。


【手続補正５】
【補正対象書類名】明細書
【補正対象項目名】００１６
【補正方法】変更
【補正の内容】
【００１６】
さらに、本発明の自動改札システムは、通行者が提示する記録媒体から改札情報を読取って改札業務を自動的に行なう自動改札装置と、この自動改札装置の状態監視や状態設定などを行なう監視装置とを具備する自動改札システムにおいて、前記自動改札装置は、通行者が提示する記録媒体から改札情報を読取る読取手段と、この読取手段で読取った改札情報に基づき前記通行者の通行可否を決定する通行可否決定手段と、この通行可否決定手段の結果が通行不可のとき、その異常内容を前記監視装置に対して送信する第１の送信手段と、前記通行可否決定手段の結果が通行不可のとき、その旨を前記通行者に対して報知するとともに、本自動改札装置を異常状態に設定する第１の制御手段と、前記異常状態を解除するための第１の異常解除信号を入力する異常解除信号入力手段と、前記監視装置から送信される第２の異常解除信号を受信する第１の受信手段と、前記異常解除信号入力手段で第１の異常解除信号が入力されたのに基づき、あるいは、前記第１の受信手段で第２の異常解除信号を受信したのに基づき、前記異常状態を解除する異常解除手段と、前記監視装置から送信されるモード設定信号を受信し、この受信したモード設定信号により、前記異常解除信号入力手段を、その機能を有効にする第１のモードあるいは無効にする第２のモードに設定するモード設定手段と、前記異常解除信号入力手段が第２のモードに設定されているとき、その異常解除信号入力手段を強制的に第１のモードに切換え設定するモード変更手段と、このモード変更手段で前記異常解除信号入力手段が強制的に第１のモードに設定されたのに基づき、モード変更信号を前記監視装置に対して送信する第２の送信手段と、前記監視装置から送信されるモード復帰信号を受信し、この受信したモード復帰信号により、前記モード変更手段で強制的に第１のモードに設定された前記異常解除信号入力手段を第２のモードに復帰させる第２の制御手段とを具備し、前記監視装置は、前記自動改札装置から送信される異常内容を受信し、この受信した異常内容を表示する第１の表示手段と、前記自動改札装置の異常状態を解除するための前記第２の異常解除信号を前記自動改札装置に対して送信する第３の送信手段と、前記異常解除信号入力手段を、その機能を有効にする第１のモードあるいは無効にする第２のモードに選択的に設定するためのモード設定信号を前記自動改札装置に対して送信する第４の送信手段と、前記自動改札装置から送信されるモード変更信号を受信し、この受信したモード変更信号により、前記異常解除信号入力手段が強制的に第１のモードに設定されたことを表示する第２の表示手段と、前記モード変更手段で強制的に第１のモードに設定された前記異常解除信号入力手段を第２のモードに復帰させるためのモード復帰信号を前記自動改札装置に対して送信する第５の送信手段とを具備している。